(57)【要約】【課題】読取筐体の内部に温度センサを設けることなく、結露への対処が必要かどうかを精度よく判断することができる画像読取装置を提供する。【解決手段】画像読取装置１００は、載置された原稿に光を照射する光源５３ａと、原稿の反射光を受光して、原稿を読み取る原稿読取部５６と、光源５３ａおよび原稿読取部５６を収容する読取筐体１０ｂと、読取筐体１０ｂの外部温度を検知する外部温度検知部ＴＭと、原稿読取部５６によって検知された光源５３ａの光の照度に基づいて、読取筐体１０ｂの内部温度を推定する内部温度推定部１０２ｂと、内部温度と外部温度とを比較して、読取筐体１０ｂの内部に結露が生じるかどうかを判断する結露判断部１０２ｂと、読取筐体１０ｂの内部の温度および／または湿度を調整して、読取筐体１０ｂの内部の結露を防止する結露防止部５７とを備えている。【選択図】図２
2015171079.tif 000002
【特許請求の範囲】
【請求項１】
載置された原稿に光を照射する光源と、前記原稿の反射光を受光して、該原稿を読み取る原稿読取部とを備える画像読取装置であって、
前記光源および前記原稿読取部を収容する読取筐体と、
前記読取筐体の外部の温度を外部温度として検知する外部温度検知部と、
前記原稿読取部によって検知された前記光源の光の照度に基づいて、前記読取筐体の内部の温度を内部温度として推定する内部温度推定部と、
前記内部温度推定部によって推定された内部温度と前記外部温度検知部によって検知された外部温度との温度差に基づいて、前記読取筐体の内部に結露が生じるかどうかを判断する結露判断部と、
前記読取筐体の内部の温度および／または湿度を調整して、該読取筐体の内部の結露を防止する結露防止部とを備えること
を特徴とする画像読取装置。
【請求項２】
請求項１に記載の画像読取装置であって、
前記内部温度推定部は、予め設定された推定時間における前記照度の変化から検出した照度勾配に基づいて、前記内部温度を推定すること
を特徴とする画像読取装置。
【請求項３】
請求項１または請求項２に記載の画像読取装置であって、
前記結露防止部としてファンが設けられていること
を特徴とする画像読取装置。
【請求項４】
請求項１から請求項３までのいずれか１つに記載の画像読取装置であって、
前記結露防止部としてヒータが設けられていること
を特徴とする画像読取装置。
【請求項５】
請求項１から請求項４までのいずれか１つに記載の画像読取装置であって、
前記結露判断部によって結露が生じると判断された際、結露の発生を示す表示を行う表示部を備えていること
を特徴とする画像読取装置。
【請求項６】
請求項１から請求項５までのいずれか１つに記載の画像読取装置であって、
前記外部温度検知部として、該画像読取装置が設置された環境の温度を検知する環境温度センサが設けられており、
前記結露判断部は、前記外部温度に基づいて算出された露点温度と前記内部温度推定部によって推定された内部温度とを比較して、前記読取筐体の内部に結露が生じるかどうかを判断すること
を特徴とする画像読取装置。
【請求項７】
請求項１から請求項６までのいずれか１つに記載の画像読取装置であって、
前記光源は、冷陰極管で構成されていること
を特徴とする画像読取装置。
【請求項８】
請求項１から請求項７までのいずれか１つに記載の画像読取装置を備えた画像形成装置。
【請求項９】
請求項８に記載の画像形成装置であって、
前記読取筐体に隣接して設けられ、用紙に画像を形成する画像形成筐体と、
前記画像形成筐体の内部に設けられ、発熱する熱源とを備え、
前記外部温度検知部として、前記熱源の近傍に画像形成温度センサが設けられていること
を特徴とする画像形成装置。
【発明の詳細な説明】
【技術分野】
【０００１】
本発明は、載置された原稿に光を照射する光源と、原稿を読み取る原稿読取部とを備える画像読取装置および画像形成装置に関する。
【背景技術】
【０００２】
従来、画像読取装置は、原稿が載置される透明板を上面に備える筐体で構成されており、内部に光を照射する光源と原稿の画像を読み取る固体撮像部とが設けられている。こうした画像読取装置では、設置された環境によって、内部に結露が生じる虞があり、読み取った画像の乱れなどの不良を生じさせることがあった。そのため、画像読取装置の内部に温度センサや湿度センサを設けて、結露しやすい環境になったことを検知し、ヒータで暖めて結露を解消することが提案されている。しかしながら、この画像読取装置では、２つのセンサを設けるスペースを内部に追加する必要があり、画像読取装置の大型化は避けられない。このことは、近年求められている画像読取装置の小型化には適していない。
【０００３】
そこで、画像読取装置の内部に新たなセンサを設けない構成として、画像読み取り手段の内部に設けた温度調整部と、設置場所の温度および湿度を測定する環境温湿度測定部とを備えた画像形成装置が提案されている（例えば、特許文献１参照。）。
【先行技術文献】
【特許文献】
【０００４】
【特許文献１】特開２００５−１８１７７９号公報
【発明の概要】
【発明が解決しようとする課題】
【０００５】
特許文献１に記載の画像形成装置では、環境温湿度測定部に相当する環境センサーが画像書き込み装置のカバー等に取り付けられており、定着部に設けられた温度センサーで画像書き込み装置内部の温度を測定している。そして、測定した温度から画像読み取り装置内部の温度を算出し、露点温度と比較して温度調整部を制御している。つまり、画像読み取り装置の外部でしか測定していないため、画像読み取り装置内部に基づく情報を取得できないという課題がある。
【０００６】
本発明は、上記の課題を解決するためになされたものであり、読取筐体の内部に温度センサを設けることなく、結露への対処が必要かどうかを精度よく判断することができる画像読取装置および画像形成装置を提供することを目的とする。
【課題を解決するための手段】
【０００７】
本発明に係る画像読取装置は、載置された原稿に光を照射する光源と、前記原稿の反射光を受光して、該原稿を読み取る原稿読取部とを備える画像読取装置であって、前記光源および前記原稿読取部を収容する読取筐体と、前記読取筐体の外部の温度を外部温度として検知する外部温度検知部と、前記原稿読取部によって検知された前記光源の光の照度に基づいて、前記読取筐体の内部の温度を内部温度として推定する内部温度推定部と、前記内部温度推定部によって推定された内部温度と前記外部温度検知部によって検知された外部温度との温度差に基づいて、前記読取筐体の内部に結露が生じるかどうかを判断する結露判断部と、前記読取筐体の内部の温度および／または湿度を調整して、該読取筐体の内部の結露を防止する結露防止部とを備えることを特徴とする。
【０００８】
本発明に係る画像読取装置では、前記内部温度推定部は、予め設定された推定時間における前記照度の変化から検出した照度勾配に基づいて、前記内部温度を推定する構成としてもよい。
【０００９】
本発明に係る画像読取装置では、前記結露防止部としてファンが設けられている構成としてもよい。
【００１０】
本発明に係る画像読取装置では、前記結露防止部としてヒータが設けられている構成としてもよい。
【００１１】
本発明に係る画像読取装置では、前記結露判断部によって結露が生じると判断された際、結露の発生を示す表示を行う表示部を備えている構成としてもよい。
【００１２】
本発明に係る画像読取装置では、前記外部温度検知部として、該画像読取装置が設置された環境の温度を検知する環境温度センサが設けられており、前記結露判断部は、前記外部温度に基づいて算出された露点温度と前記内部温度推定部によって推定された内部温度とを比較して、前記読取筐体の内部に結露が生じるかどうかを判断する構成としてもよい。
【００１３】
本発明に係る画像読取装置では、前記光源は、冷陰極管で構成されていてもよい。
【００１４】
本発明に係る画像形成装置は、本発明に係る画像読取装置を備えていることを特徴とする。
【００１５】
本発明に係る画像形成装置では、前記読取筐体に隣接して設けられ、用紙に画像を形成する画像形成筐体と、前記画像形成筐体の内部に設けられ、発熱する熱源とを備え、前記外部温度検知部として、前記熱源の近傍に画像形成温度センサが設けられている構成としてもよい。
【発明の効果】
【００１６】
本発明によると、読取筐体の内部に温度センサを設けることなく、内部温度推定部によって光源の光の照度から読取筐体の内部温度を推定することができ、結露への対処が必要かどうかを精度よく判断することができる。
【図面の簡単な説明】
【００１７】
【図１】本発明の第１実施形態に係る画像形成装置の概略断面図である。
【図２】本発明の第１実施形態に係る画像形成装置の概略構成図である。
【図３】光源の時間に対する照度の変化を示す特性図である。
【図４】本発明の第１実施形態に係る画像形成装置の結露を判断する場合の処理フローを示すフロー図である。
【図５】本発明の第２実施形態に係る画像形成装置の概略断面図である。
【図６】本発明の第３実施形態に係る画像形成装置の概略断面図である。
【発明を実施するための形態】
【００１８】
以下、本発明の第１実施形態に係る画像形成装置について、図面を参照して説明する。
【００１９】
図１は、本発明の第１実施形態に係る画像形成装置の概略断面図であって、図２は、本発明の第１実施形態に係る画像形成装置の概略構成図である。
【００２０】
画像形成装置１０は、原稿を読み取って用紙に画像形成する複写機能を有しており、画像読取装置１００、画像読取装置１００の上側に設けられた原稿搬送部（ＡＤＦ）１０ａ、画像読取装置１００の下側に設けられた画像形成筐体１０ｃ、給紙部１０ｄ、および積載トレイ１５を備えている。
【００２１】
原稿搬送部１０ａは、画像読取装置１００に対して開閉自在に支持されている。原稿搬送部１０ａが開かれると、画像読取装置１００の上方に設けられた原稿載置台６１が開放され、原稿を手置きで置くことができるようになっている。また、原稿搬送部１０ａは、載置された原稿を画像読取装置１００の読取ガラス５２の上に自動で搬送する。
【００２２】
画像読取装置１００は、載置された原稿または原稿搬送部１０ａから搬送された原稿を読み取って画像データを生成する。具体的には、画像読取装置１００は、読取筐体１０ｂを備え、読取筐体１０ｂの内部に、第１走査部５３、第２走査部５４、結像レンズ５５、原稿読取部５６、ファン５７ａ、およびヒータ５７ｂが設けられている。また、読取筐体１０ｂの上面には、ガラス板で形成された原稿載置台６１と読取ガラス５２とが設けられている。第１走査部５３には、原稿に光を照射する光源５３ａが設けられており、本実施の形態では、光源５３ａは、冷陰極管（ＣＣＦＬ：Ｃｏｌｄ  Ｃａｔｈｏｄｅ  Ｆｌｕｏｒｅｓｃｅｎｔ  Ｌａｍｐ）である。原稿読取部５６は、例えば、ＣＣＤ（Ｃｈａｒｇｅ  Ｃｏｕｐｌｅｄ  Ｄｅｖｉｃｅ）であって、原稿の反射光を受光して原稿の画像を読み取る。この読取動作では、第１走査部５３の光源５３ａの光は、読取ガラス５２または原稿載置台６１を介して原稿に照射される。原稿からの反射光は、読取ガラス５２または原稿載置台６１を介して第１走査部５３に入射し、第１走査部５３および第２走査部５４のミラーによって反射され、結像レンズ５５へと導かれる。さらに、結像レンズ５５によって原稿読取部５６に結像される。これによって、原稿読取部５６は、原稿の画像を読み取り、原稿の画像を示す画像データを出力する。
【００２３】
ファン５７ａは、読取筐体１０ｂの内部の湿気を外部へ排出し、ヒータ５７ｂは、読取筐体１０ｂの内部を加熱して湿気を少なくする。つまり、ファン５７ａおよびヒータ５７ｂは、読取筐体１０ｂの内部の温度および／または湿度を調整して、読取筐体１０ｂの内部の結露を防止する結露防止部５７に相当する。
【００２４】
また、読取筐体１０ｂの外部には、環境温度センサ５９と表示部１０１（図２参照）とが設けられており、例えば、画像読取装置１００や画像形成筐体１０ｃの表面に設けられていればよい。環境温度センサ５９は、読取筐体１０ｂの外部の温度を外部温度として検知する外部温度検知部ＴＭに相当する。表示部１０１は、例えば、液晶ディスプレイなどであって、原稿読取や画像形成での設定など画像形成装置１０の状態を示す。
【００２５】
図２に示すように、画像読取装置１００は、ＣＰＵ１０２を備えており、ＣＰＵ１０２は、内部温度推定部１０２ａ、結露判断部１０２ｂ、および制御部１０２ｃを予め組み込まれたプログラムとして記憶しており、記憶したプログラムを実行することにより、後述する処理を実行する。
【００２６】
なお、ＣＰＵ１０２によって、画像形成装置１０を制御する構成としてもよい。つまり、画像形成装置１０と画像読取装置１００とで共通のＣＰＵ１０２を用いてもよい。
【００２７】
内部温度推定部１０２ａは、原稿読取部５６によって検知された光源５３ａの光の照度に基づいて、読取筐体１０ｂの内部の温度を内部温度として推定する。結露判断部１０２ｂは、内部温度推定部１０２ａによって推定された内部温度と外部温度検知部によって検知された外部温度との温度差（後述する内外温度差）に基づいて、読取筐体１０ｂの内部に結露が生じるかどうかを判断する。制御部１０２ｃは、ユーザの指示などに基づいて、原稿読取や画像形成といった動作を制御する。なお、内部温度推定部１０２ａおよび結露判断部１０２ｂについては、後述する図３および図４を参照して、詳細に説明する。
【００２８】
画像形成装置１０では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成筐体１０ｃには、４種類のトナー像を形成するための現像装置２、感光体ドラム３、ドラムクリーニング装置４、および帯電器５が４つずつ設けられ、それぞれがブラック、シアン、マゼンタ、およびイエローに対応付けられ、４つの画像ステーションＰａ、Ｐｂ、Ｐｃ、Ｐｄが構成されている。
【００２９】
ドラムクリーニング装置４は、感光体ドラム３の表面の残留トナーを除去および回収する。帯電器５は、感光体ドラム３の表面を所定の電位に均一に帯電させる。光走査装置１は、感光体ドラム３の表面を露光して静電潜像を形成する。現像装置２は、感光体ドラム３の表面の静電潜像を現像して、感光体ドラム３の表面にトナー像を形成する。上述した一連の動作によって、各感光体ドラム３の表面に各色のトナー像が形成される。
【００３０】
感光体ドラム３の上側には、中間転写ベルト７が配置されている。中間転写ベルト７は、矢印Ｃの方向へ周回移動し、ベルトクリーニング装置９によって残留トナーを除去および回収され、各感光体ドラム３の表面に形成された各色のトナー像が順次転写して重ね合わされて、中間転写ベルト７の表面にカラーのトナー像が形成される。
【００３１】
２次転写装置１１の転写ローラ１１ａは、中間転写ベルト７との間にニップ域が形成されており、用紙搬送経路Ｓを通じて搬送されて来た用紙をニップ域に挟み込んで搬送する。用紙は、ニップ域を通過する際に、中間転写ベルト７の表面のトナー像が転写されて定着装置１２に搬送される。
【００３２】
定着装置１２は、用紙を挟んで回転する加熱ローラ３１および加圧ローラ３２を備えている。定着装置１２は、加熱ローラ３１および加圧ローラ３２の間にトナー像が転写された用紙を挟み込んで加熱および加圧し、トナー像を用紙に定着させる。本実施の形態では、加熱ローラ３１は、発熱する熱源ＨＳに相当し、画像形成筐体１０ｃの温度を上昇させる。加熱ローラ３１は、例えば、内部や周囲にヒータを備えた構成とされている。加熱ローラ３１の近傍には、加熱ローラ３１の温度を検知する画像形成温度センサ３３が設けられており、画像形成温度センサ３３は、環境温度センサ５９と同様に、外部温度検知部ＴＭに相当する。なお、以下では、外部温度検知部ＴＭで検知した温度をそれぞれ区別するため、環境温度センサ５９で検知した温度を環境温度と呼び、画像形成温度センサ３３で検知した温度を画像形成温度と呼び、環境温度と画像形成温度とを併せて外部温度と呼ぶことがある。
【００３３】
給紙部１０ｄには、画像形成に使用する用紙を蓄積しておくためのトレイである給紙カセット１３が、光走査装置１の下側に設けられている。用紙は、ピックアップローラ１６によって給紙カセット１３から引き出されて、用紙搬送経路Ｓを通じて搬送され、２次転写装置１１や定着装置１２を経由して積載トレイ１５へと搬出される。用紙搬送経路Ｓには、用紙を一旦停止させて、用紙の先端を揃えた後、中間転写ベルト７と転写ローラ１１ａとの間のニップ域でのカラーのトナー像の転写タイミングに合わせて用紙の搬送を開始するレジストローラ１４、および用紙を搬送する搬送ローラ等が配置されている。
【００３４】
また、用紙搬送経路Ｓには、途中で分岐して２次転写装置１１および定着装置１２を経由せずに再度合流する経路が設けられている。そして、用紙の表面だけでなく、裏面に画像形成を行う場合は、定着装置１２を通過した用紙を逆方向に搬送して、分岐した経路を経由して用紙の表裏を反転させ、用紙をレジストローラ１４へと再度導き、表面と同様にして裏面に画像形成を行い、用紙を積載トレイ１５へと搬出する。
【００３５】
画像形成装置１０において、２次転写装置１１および定着装置１２が用紙に画像形成する画像形成部に相当し、画像形成筐体１０ｃは、内部に光走査装置１、画像ステーションＰａ、Ｐｂ、Ｐｃ、Ｐｄ、中間転写ベルト７、２次転写装置１１、および定着装置１２が設けられており、読取筐体１０ｂに隣接して配置され、上述した一連の動作によって用紙に画像を形成する構成とされている。
【００３６】
図３は、光源の時間に対する照度の変化を示す特性図である。
【００３７】
上述したように、本実施の形態では、光源５３ａは、冷陰極管で構成されており、一般的に、冷陰極管は、周囲の温度に応じた照度の変化が顕著である。図では、縦軸に定格状態に対する照度の比率を表し、横軸に点灯開始時からの経過時間を表し、周囲の温度が０度、２５度、および６０度の際の照度勾配をそれぞれ示している。２５度での照度勾配Ｔ２５（実線）は、点灯後、急速に上昇し、徐々に安定して最大出力となる。０度での照度勾配Ｔ０（一点鎖線）は、２５度の場合と同様に、急速に上昇し、徐々に安定するが、６０％程度の出力となる。６０度での照度勾配Ｔ６０（二点鎖線）は、一旦大きく上昇した後、少し出力が低下した状態で安定する。照度勾配は、周囲の温度が高くなるほど、点灯直後の勾配が急峻になるが、３００秒程度経過すると出力が安定する。
【００３８】
上述したことから、点灯開始後の照度の変化を検出することで、どの程度の照度で安定するかを判断することができ、安定した照度から周囲の温度を推測することができる。つまり、内部温度推定部１０２ａは、予め設定された推定時間における照度の変化から検出した照度勾配に基づいて、内部温度を推定する構成とされている。具体的には、図３に示すような複数の照度勾配が予め設定されており、検知した照度勾配と類似する照度勾配とを比較して内部温度を推測する。なお、本実施の形態では、推定時間は、点灯時間が０秒から１００秒までの間に設定されているが、適用する光源等に応じて適宜選択してもよい。また、光源５３ａは、冷陰極管に限定されず、周囲の温度に対して照度の変化が顕著な光源であればよい。つまり、光源５３ａは、周囲の温度と照度とに相関関係があることが望ましい。
【００３９】
図４は、本発明の第１実施形態に係る画像形成装置の結露を判断する場合の処理フローを示すフロー図である。
【００４０】
ステップＳ０１では、画像形成装置１０を起動する。通常、停止している状態では、画像形成装置１０は、熱源ＨＳ等が動作していないので、低温状態であり、結露が生じている虞がある。また、起動直後は、熱源ＨＳの近傍は短時間で高温となるが、局所的に加熱されることで周囲との温度差が生じ、結露が生じる虞がある。このことから、結露を判断する処理は、画像形成装置１０を起動してから早急に実施することが望ましい。
【００４１】
ステップＳ０２では、内部温度推定部１０２ａによって照度勾配を検出する。つまり、原稿読取部５６によって検知された光源５３ａの光の照度から照度勾配を検出する。
【００４２】
ステップＳ０３では、結露判断部１０２ｂによって内部温度が露点温度より高いかどうかを判断する。つまり、結露判断部１０２ｂは、外部温度（特に、環境温度）に基づいて算出された露点温度と内部温度とを比較して、読取筐体１０ｂの内部に結露が生じるかどうかを判断する。なお、露点温度とは、空気の温度を下げていったとき、ある温度で水蒸気が気体の状態から霧状または結露する温度のことをいう。具体的には、温度と湿度との関係において結露の生じる露点温度を示す表などを予め記憶させておき、検知した外部温度から露点温度を特定すればよい。なお、湿度については、湿度を検知するセンサを設けてもよいし、日付等と平均的な湿度との関係を示す表などを記憶させていてもよい。その結果、内部温度が露点温度より高いと判断された場合（ステップＳ０３：Ｙｅｓ）、処理を終了する。一方、内部温度が露点温度より低いと判断された場合（ステップＳ０３：Ｎｏ）、ステップＳ０４へ進む。
【００４３】
ステップＳ０４では、結露判断部１０２ｂによって内外温度差が予め設定された基準値より小さいかどうかを判断する。なお、内外温度差とは、外部温度と内部温度との温度差である。基準値については、画像形成装置１０の構造等を考慮して適宜設定されていればよく、予めテスト等をして最適な値を測定するなどして把握することができる。また、環境温度と画像形成温度との両方を検知している場合は、画像形成温度と内部温度とを比較して内外温度差を算出する。そして、環境温度に応じた複数の基準値テーブルを記憶させておき、内外温度差と比較する構成としてもよい。その結果、内外温度差が基準値より小さい場合（ステップＳ０４：Ｙｅｓ）、処理を終了する。一方、内外温度差が基準値より大きい場合（ステップＳ０４：Ｎｏ）、ステップＳ０５へ進む。
【００４４】
ステップＳ０５では、結露防止部５７を作動させて、処理を終了する。つまり、結露防止部５７（ファン５７ａおよびヒータ５７ｂ）によって、結露を解消させてから、通常の画像形成等を実行させる。ここで、結露判断部１０２ｂによって結露が生じると判断された際、表示部１０１は、結露の発生を示す表示を行う。
【００４５】
上述したように、本実施の形態では、読取筐体１０ｂの内部に温度センサを設けることなく、内部温度推定部１０２ａによって光源５３ａの光の照度から読取筐体１０ｂの内部温度を推定することができ、結露への対処が必要かどうかを精度よく判断することができる。
【００４６】
また、推定時間での照度勾配を検出することで、さらに時間が経過した後の照度を推測できるため、内部温度を推定するのに必要な時間を短縮することができる。その結果、短時間で結露への対処を判断することができる。
【００４７】
また、ファン５７ａによって読取筐体１０ｂの内部の湿気を外部へ排出することで、結露を防ぐことができる。
【００４８】
また、ヒータ５７ｂによって読取筐体１０ｂの内部を加熱して湿気を少なくすることで、結露を防ぐことができる。
【００４９】
また、表示部１０１に表示させることで、ユーザに画像読取装置１００の内部で結露しているかどうかを容易に把握させることができる。
【００５０】
また、画像読取装置１００が設置された環境で結露が生じる露点温度と比較することで、結露への対処が必要かどうかをさらに精度よく判断することができる。
【００５１】
また、周囲の温度に対する照度の変化が顕著な冷陰極管を用いることで、内部温度を容易に推定することができる。
【００５２】
また、画像形成温度センサ３３によって、画像形成筐体１０ｃと読取筐体１０ｂとの温度差を把握することができ、結露しているかどうかを容易に判断できる。つまり、画像形成筐体１０ｃを加熱して著しい温度差が生じさせる熱源ＨＳの温度を検知することで、精度よく判断することができる。
【００５３】
次に、結露防止部５７を異なる構成とした第２実施形態および第３実施形態について、図面を参照して説明する。
【００５４】
図５は、本発明の第２実施形態に係る画像形成装置の概略断面図である。なお、第１実施形態と機能が実質的に等しい構成要素については、同一の符号を付して説明を省略する。
【００５５】
第２実施形態では、結露防止部５７としてファン５７ａだけを備え、外部温度検知部ＴＭは、環境温度センサ５９だけとされた構成とされている。つまり、内外温度差は、環境温度と内部温度とを比較して算出される。なお、画像形成温度センサ３３で検知した画像形成温度は、結露の判断に適用されないが、加熱ローラ３１を加熱する際、画像形成温度センサ３３で温度を検知して制御する構成としてもよい。
【００５６】
図６は、本発明の第３実施形態に係る画像形成装置の概略断面図である。なお、第１実施形態および第２実施形態と機能が実質的に等しい構成要素については、同一の符号を付して説明を省略する。
【００５７】
第３実施形態では、結露防止部５７としてヒータ５７ｂだけを備える構成とされている。また、外部温度検知部ＴＭは、画像形成温度センサ３３だけであって、環境温度センサ５９を備えていない。つまり、内外温度差は、画像形成温度と内部温度とを比較して算出される。
【００５８】
なお、上述した構成に限らず、結露防止部５７や外部温度検知部ＴＭの数は適宜選択して、自由に組み合わせてもよい。
【００５９】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６０】
１０  画像形成装置
１０ａ  原稿搬送部
１０ｂ  読取筐体
１０ｃ  画像形成筐体
１０ｄ  給紙部
３３  画像形成温度センサ
５３ａ  光源
５６  原稿読取部
５７  結露防止部
５７ａ  ファン
５７ｂ  ヒータ
５９  環境温度センサ
１００  画像読取装置
１０１  表示部
１０２  ＣＰＵ
１０２ａ  内部温度推定部
１０２ｂ  結露判断部
１０２ｃ  制御部
ＨＳ  熱源
ＴＭ  外部温度検知部
【図１】
2015171079.tif 000003
【図２】
2015171079.tif 000004
【図３】
2015171079.tif 000005
【図４】
2015171079.tif 000006
【図５】
2015171079.tif 000007
【図６】
2015171079.tif 000008